(57)【要約】【課題】ＵＳＢ接続可能な光ディスク装置は、駆動用電源としてＡＣアダプターとＵＳＢインターフェースのＵＳＢの電源バス(ＶＢＵＳ)により駆動することが出来、ＡＣアダプター接続時にはＡＣアダプターから、未接続時にはＶＢＵＳから駆動するようになっている。しかし、ＵＳＢ電源駆動の場合はコンピュータ側でＵＳＢ電源の強化が行われた特定のコンピュータに限定し動作させる必要があった。【解決手段】電力伝達機能と信号伝達機能を兼ね備えた接続手段によって他の電子機器からの電力の取得と信号の入出力が可能であり、前記接続手段を用いた信号の送信か受信の少なくとも一方により、前記接続手段からの電力取得が十分であるかどうかの判定手段を備え、前記判定手段によって前記接続手段から得られる電力が十分であると判断した場合には、前記接続手段を介して電力取得を行うこととした。【選択図】図２
2005050194.tif 000002
【特許請求の範囲】
【請求項１】
電力伝達機能と信号伝達機能を兼ね備えた接続手段によって他の電子機器からの電力の取得と信号の入出力が可能であり、前記接続手段を用いた信号の送信か受信の少なくとも一方により、前記接続手段からの電力取得が十分であるかどうかの判定手段を備え、前記判定手段によって前記接続手段から得られる電力が十分であると判断した場合には、前記接続手段を介して電力取得を行うことを特徴とする電子機器。
【請求項２】
内部機能の動作に十分な電力を供給可能な電源に接続可能であり、接続手段から得られる電力が十分でないと判断した場合には前記電源から電力取得を行うことを特徴とする請求項１記載の電子機器。
【請求項３】
判定手段によって接続手段から得られる電力が十分でないと判断した場合には、電力取得を停止または終了することを特徴とする請求項１記載の電子機器。
【請求項４】
接続手段はユニバーサル・シリアル・バス（ＵＳＢ）インターフェースであり、電力伝達機能は前記ユニバーサル・シリアル・バス（ＵＳＢ）インターフェースのＶＢＵＳ（電圧バス）であり、前記ＶＢＵＳにて、５００ｍＡ以下の第１の電流と５００ｍＡを超える第２の電流を取得可能であることを特徴とする請求項１記載の電子機器。
【請求項５】
ＡＣアダプターが接続可能であり、前記ＡＣアダプター接続の有無を検知可能なことを特徴とする請求項４記載の電子機器。
【請求項６】
ＡＣアダプターが接続されている場合は前記ＡＣアダプターを電力供給源とし、ＡＣアダプターが接続されていない場合は、ＶＢＵＳにて第２の電流を供給可能であることを示す信号を他の電子機器から受信した場合は少なくとも前記ＶＢＵＳにて動作用電力を取得することを特徴とする請求項５記載の電子機器。
【請求項７】
ＡＣアダプターが接続されていない場合は、省電力状態となって少なくとも内部に設けられた信号を待機および受信する機能以外への電力供給を停止し、前記信号を受信した場合は前記省電力状態を解除することを特徴とする請求項５記載の電子機器。
【請求項８】
省電力状態においては、ＶＢＵＳによって他の電子機器から供給される電流は第１の電流値であり、信号を受信した場合は前記省電力状態を解除しＶＢＵＳによって他の電子機器から供給される電流は第２の電流値であることを特徴とする請求項７記載の電子機器。
【請求項９】
ＶＢＵＳからの電流が流れる回路中に前記電流の突入電流を低減する突入防止回路を備えたことを特徴とする請求項４記載の電子機器。
【請求項１０】
ＵＳＢインターフェースにて電力の取得と信号伝達が可能であり、前記ＵＳＢインターフェースを用いた信号の送受信を行うことにより、前記前記ＵＳＢインターフェースからの電力取得が十分であるかどうかの判定手段を備え、前記判定手段によって前記ＵＳＢインターフェースから得られる電力が十分であると判断した場合には、前記ＵＳＢインターフェースを介して電力取得を行うことを特徴とする光ディスク装置。
【請求項１１】
内部機能の動作に十分な電力を供給可能な電源に接続可能であり、ＵＳＢインターフェースから得られる電力が十分でないと判断した場合には前記電源から電力取得を行うことを特徴とする請求項１０記載の光ディスク装置。
【請求項１２】
判定手段によってＵＳＢインターフェースから得られる電力が十分でないと判断した場合
には、電力取得を停止または終了することを特徴とする請求項１０記載の光ディスク装置。
【請求項１３】
請求項４から９のいずれかに１記載の特徴を備えた光ディスク装置。
【請求項１４】
ＡＣアダプターが接続可能であり、電源を前記ＡＣアダプターにするかＵＳＢインターフェースのＶＢＡＳ（電圧バス）にするかを切り換えるリレー回路部部を有し、前記リレー回路部部は、前記ＡＣアダプターからの電圧を入力する第１の端子と、前記ＶＢＡＳからの電圧を入力する第２の端子と、前記第１の端子からの入力と前記第２の端子からの入力のいずれかを出力する第３の端子と、各端子間の導通を切り換える切り換え手段と、前記切り換え手段に接続された遅延回路と、前記第１の端子と前記第３の端子間に前記第３の端子側を順方向に接続された第１のダイオードと、前記第２の端子と前記第３の端子間に前記第３の端子側を順方向に接続された第２のダイオードを有し、
前記切り換え手段は前記遅延回路を経由して入力されたコントロール信号によって、前記第１の端子と前記第３の端子間を導通するか前記第２の端子と前記第３の端子間を導通させるかを切り換えることを特徴とする請求項１１記載の光ディスク装置。
【発明の詳細な説明】
【技術分野】
【０００１】
本発明はパーソナルコンピュータ等の電子機器にユニバーサル・シリアル・バス（ＵＳＢ）インターフェース等の電力伝達機能と信号伝達機能を兼ね備えた接続手段にて接続可能な電子機器及び光ディスク装置に関する。
【背景技術】
【０００２】
従来の光メディア装置のユニバーサル・シリアル・バス（以下ＵＳＢと称す）インターフェースでの起動についてブロック図に従い説明する。
【０００３】
図９は従来の光ディスク装置のブロック図を示している。ここで、ＣＰＵ１２は論理判断や演算を行う。メインメモリ１３は、制御プログラム、ならびに光ディスク記録装置のための記録制御プログラムを記憶したプログラム記憶エリアを有している。バッファメモリ１１は、記憶領域、記録制御、再生制御に必要な記憶領域として使用される。フィードモータ２は、モータ駆動回路６で駆動される。３はスピンドルモータで同じようにモータ駆動回路６で駆動される。４はピックアップユニットであり、アクチュエータ駆動回路７で駆動される。モータ駆動回路６、アクチュエータ駆動回路７をサーボ制御するものがＣＤサーボプロセッサ９である。また、モータ駆動回路７に電力を供給するのが駆動系電源回路８である。
【０００４】
再生系では、光ディスク1とピックアップユニット４から得られる光信号はアナログ信号処理部５で信号処理され、ＣＤサーボプロセッサ９のフィードバック信号として使われると共に、デジタル信号処理部１０の入力信号となりデジタル信号へ復調され、その結果をバッファメモリ１１へ格納する。バッファメモリ１１は記録データ、および復調したデータを一時記憶するためのメモリである。これらのデータはインタフェース部１４を経由し、ＡＴＡＰＩバス１６を使った通信でＵＳＢ変換ＩＣ１７とデータの受け渡しを行う。
【０００５】
ＵＳＢ変換ＩＣ１７は、受けたＡＴＡＰＩ信号をＵＳＢ信号１８へ変換しＵＳＢコネクタ１９を通しＵＳＢケーブルによって外部のパソコン（ホストコンピュータ）２０と接続されデータの受け渡しを行うものである。システムバス１５は、光ディスク装置内でのデータ転送用バスである。メインメモリに記録されたプログラムによりＣＰＵがデジタル信号処理部１０の制御を行う。デジタル系電源回路２６はＣＰＵ１２、デジタル信号処理部１０、メモリ１３等、デジタル信号処理部１０に対し各種の電圧を安定供給する。
【０００６】
これら装置を動かす回路部分へ供給される電圧は、ＡＣアダプタ２１でＡＣ１００ＶからＤＣ６Ｖへ変換されＤＣジャック２２よりドライブへ供給される。電源起動回路２３はＵＳＢコネクタ１９の電源端子ＶＢＵＳ２４の電圧に連動しドライブの駆動系電源回路８デジタル系電源回路２６に電圧を供給する仕組みを有し、ＵＳＢ電源のＯＮ／ＯＦＦに連動し自動的にドライブを起動及び終了させる。
【０００７】
先行例としては、（特許文献１）（特許文献２）等がある。
【特許文献１】特開２００１−１４４７７２号公報
【特許文献２】特開２００１−１７７５４３号公報
【発明の開示】
【発明が解決しようとする課題】
【０００８】
従来の光ディスク装置では駆動用電源として上記の様にＡＣアダプタを使用している。ＵＳＢを使用する機器には、その機器の駆動用電源をＵＳＢインターフェースのＵＳＢ電
源(ＶＢＵＳ)に依っているものもあるが、従来のパソコン２０では、ＵＳＢの規格に従いＵＳＢから供給される電流は最大供給電流５００ｍＡに規格されており、５００ｍＡを超えて電流を引くとパソコン２０側で警告とＵＳＢ電源のシャットダウンが行われる。一方従来の光ディスク装置は５００ｍＡ以上の最大供給電流を必要とするため、従来のパソコン２０のＶＢＵＳで従来の光ディスク装置を駆動することができなかった。
【０００９】
但し、従来のパソコン２０でＶＢＵＳからの供給電流が５００ｍＡ以上になった場合にパソコンシステムに対し警告を発したりＶＢＵＳを遮断したりするのは、主にパソコンで使用されている半導体素子及びその周辺回路の要因であり、この半導体素子を変更しＶＢＵＳを５００ｍＡ以上にすることで、ＶＢＡＳで５００ｍＡ以上を供給できる特定のパソコンを実現可能である。
【課題を解決するための手段】
【００１０】
かかる問題を解決するために本発明の電子機器及び光ディスク装置は、電力伝達機能と信号伝達機能を兼ね備えた接続手段によって他の電子機器からの電力の取得と信号の入出力が可能であり、前記接続手段を用いた信号の送信か受信の少なくとも一方により、前記接続手段からの電力取得が十分であるかどうかの判定手段を備え、前記判定手段によって前記接続手段から得られる電力が十分であると判断した場合には、前記接続手段を介して電力取得を行うこととした。
【発明の効果】
【００１１】
これにより本発明の電子機器及び光ディスク装置は、電力伝達機能と信号伝達機能を兼ね備えた接続手段によって他の電子機器からの電力の取得と信号の入出力が可能であり、前記接続手段を用いた信号の送信か受信の少なくとも一方により、前記接続手段からの電力取得が十分であるかどうかの判定手段を備え、前記判定手段によって前記接続手段から得られる電力が十分であると判断した場合には、前記接続手段を介して電力取得を行うことを特徴とする電子機器によって、接続された他の電子機器は電力供給が可能なことを確認した上で接続手段を介して電力取得を行うため、電力や電流などが供給過剰となり、誤動作や破損などが生じることを防ぐことができる。
【発明を実施するための最良の形態】
【００１２】
請求項１記載の発明は、電力伝達機能と信号伝達機能を兼ね備えた接続手段によって他の電子機器からの電力の取得と信号の入出力が可能であり、前記接続手段を用いた信号の送信か受信の少なくとも一方により、前記接続手段からの電力取得が十分であるかどうかの判定手段を備え、前記判定手段によって前記接続手段から得られる電力が十分であると判断した場合には、前記接続手段を介して電力取得を行うことを特徴とする電子機器によって、電力伝達機能と信号伝達機能を兼ね備えた接続手段によって、接続された他の電子機器は電力供給が可能なことを確認した上で接続手段を介して電力取得を行うため、電力や電流などが供給過剰となり、誤動作や破損などが生じることを防ぐことができる。
【００１３】
請求項２記載の発明は、内部機能の動作に十分な電力を供給可能な電源に接続可能であり、接続手段から得られる電力が十分でないと判断した場合には前記電源から電力取得を行うことを特徴とする請求項１記載の電子機器によって、接続手段から電力供給ができない場合は電力供給可能な別の電源に切り換えられるため、電子機器が使用できない状態になることを回避できる。
【００１４】
請求項３記載の発明は、判定手段によって接続手段から得られる電力が十分でないと判断した場合には、電力取得を停止または終了することを特徴とする請求項１記載の電子機器によって、接続された他の電子機器は電力供給が可能なことを確認した上で接続手段を介して電力取得を行うとともに、接続手段から得られる電力が十分でないと判断した場合
は少なくとも接続手段からは電力取得を行わないため、電力や電流などが供給過剰となり、誤動作や破損などが生じることをより確実に防ぐことができる。
【００１５】
請求項４記載の発明は、接続手段はユニバーサル・シリアル・バス（ＵＳＢ）インターフェースであり、電力伝達機能は前記ユニバーサル・シリアル・バス（ＵＳＢ）インターフェースのＶＢＵＳ（電圧バス）であり、前記ＶＢＵＳにて、５００ｍＡ以下の第１の電流と５００ｍＡを超える第２の電流を取得可能であることを特徴とする請求項１記載の電子機器によって、ＵＳＢインターフェースにて他の電子機器に接続した際に、接続された他の電子機器は電力供給が可能なことを確認した上で接続手段を介して電力取得を行うため、電力や電流などが供給過剰となり、誤動作や破損などが生じることを防ぐことができる。
【００１６】
請求項５記載の発明は、ＡＣアダプタが接続可能であり、前記ＡＣアダプタ接続の有無を検知可能なことを特徴とする請求項４記載の電子機器によって、ＡＣアダプタが電源として使用可能な為、動作用電力の取得をより安定して行うことができる。
【００１７】
請求項６記載の発明は、ＡＣアダプタが接続されている場合は前記ＡＣアダプタを電力供給源とし、ＡＣアダプタが接続されていない場合は、ＶＢＵＳにて第２の電流を供給可能であることを示す信号を他の電子機器から受信した場合は少なくとも前記ＶＢＵＳにて動作用電力を取得することを特徴とする請求項５記載の電子機器によって、ＡＣアダプタを電源として優先的に使用するが、ＡＣアダプタが接続されていない場合は消費電力を削減した状態でＶＢＵＳからの電力取得が可能か確認を行うため、より安定した状態でＶＢＵＳからの電力取得が可能か確認かを行うことができる。
【００１８】
請求項７記載の発明は、ＡＣアダプタが接続されていない場合は、省電力状態となって少なくとも内部に設けられた信号を待機および受信する機能以外への電力供給を停止し、前記信号を受信した場合は前記省電力状態を解除することを特徴とする請求項５記載の電子機器によって、省電力状態となってＵＳＢが過電流となり難くしたうえでＶＢＵＳからの電力取得が可能か確認を行うため、より安定した状態でＶＢＵＳからの電力取得が可能か確認を行うことができる。
【００１９】
請求項８記載の発明は、省電力状態においては、ＶＢＵＳによって他の電子機器から供給される電流は第１の電流値であり、信号を受信した場合は前記省電力状態を解除しＶＢＵＳによって他の電子機器から供給される電流は第２の電流値であることを特徴とする請求項７記載の電子機器によってＵＳＢが過電流となるのを防いだうえでＶＢＵＳからの電力取得が可能か確認を行うため、より安定した状態でＶＢＵＳからの電力取得が可能か確認を行うことができる。
【００２０】
請求項９記載の発明は、ＶＢＵＳからの電流が流れる回路中に前記電流の突入電流を低減する突入防止回路を備えたことを特徴とする請求項４記載の電子機器であって、ＵＳＢ接続時の突入電流を防ぐことができるため、ＶＢＵＳの過電流によるパソコンシステムへの警告を防ぐことができる。
【００２１】
請求項１０記載の発明は、ＵＳＢインターフェースにて電力の取得と信号伝達が可能であり、前記ＵＳＢインターフェースを用いた信号の送受信を行うことにより、前記前記ＵＳＢインターフェースからの電力取得が十分であるかどうかの判定手段を備え、前記判定手段によって前記ＵＳＢインターフェースから得られる電力が十分であると判断した場合には、前記ＵＳＢインターフェースを介して電力取得を行うことを特徴とする光ディスク装置であって、接続された他の電子機器は電力供給が可能なことを確認した上で接続手段を介して電力取得を行うため、パソコンシステムの誤動作や破損などを防ぎ、かつ、ＶＢ
ＵＳにて動作可能な光ディスク装置を提供できる。
【００２２】
請求項１１記載の発明は、内部機能の動作に十分な電力を供給可能な電源に接続可能であり、ＵＳＢインターフェースから得られる電力が十分でないと判断した場合には前記電源から電力取得を行うことを特徴とする請求項１０記載の光ディスク装置であって、ＵＳＢから電力供給ができない場合は電力供給可能な別の電源に切り換えられるため、光ディスク装置が使用できない状態になることを回避できる。
【００２３】
請求項１２記載の発明は、判定手段によってＵＳＢインターフェースから得られる電力が十分でないと判断した場合には、電力取得を停止または終了することを特徴とする請求項１０記載の光ディスク装置によって、接続された他の電子機器は電力供給が可能なことを確認した上でＵＳＢを介して電力取得を行うとともに、ＵＳＢから得られる電力が十分でないと判断した場合は少なくともＵＳＢからは５００ｍＡ以上の電力取得を行わないため、機器の起動時の過電流によりパソコンシステムに誤動作や破損などが生じないようにする光ディスク装置を提供できる。
【００２４】
請求項１３記載の発明は、請求項４から９のいずれかに１記載の特徴を備えた光ディスク装置によって、電源確認動作を安定して行うことができ、また電子部品の信頼性を向上した光ディスク装置を提供できる。
【００２５】
請求項１４記載の発明は、ＡＣアダプタが接続可能であり、電源を前記ＡＣアダプタにするかＵＳＢインターフェースのＶＢＡＳ（電圧バス）にするかを切り換えるリレー回路部を有し、前記リレー回路部は、前記ＡＣアダプタからの電圧を入力する第１の端子と、前記ＶＢＡＳからの電圧を入力する第２の端子と、前記第１の端子からの入力と前記第２の端子からの入力のいずれかを出力する第３の端子と、各端子間の導通を切り換える切り換え手段と、前記切り換え手段に接続された遅延回路と、前記第１の端子と前記第３の端子間に前記第３の端子側を順方向に接続された第１のダイオードと、前記第２の端子と前記第３の端子間に前記第３の端子側を順方向に接続された第２のダイオードを有し、前記切り換え手段は前記遅延回路を経由して入力されたコントロール信号によって、前記第１の端子と前記第３の端子間を導通するか前記第２の端子と前記第３の端子間を導通させるかを切り換えることを特徴とする請求項１１記載の光ディスク装置によって、電源の切り替えを安定して行うことができる。
【００２６】
以下、発明を実施するための最良の形態について図を用いて説明する。
【００２７】
図１は本発明の一実施の形態における光ディスク装置の外観図、図２は本発明の一実施の形態における光ディスク装置の構成を示すブロック図、図３はＵＳＢ電源とＡＣアダプタ電源での動作の制御を示すフローチャート、図４はパソコンが５００ｍＡ以上を供給できるパソコンであるかを光ディスク装置が確認する制御を示すフローチャート、図５は本発明の光ディスク装置を接続し、ＵＳＢにて光ディスク装置への電力供給が可能なパソコンのＵＳＢ出力部分のブロック図、図６は本発明の光ディスク装置を接続し、ＵＳＢにて光ディスク装置への電力供給が可能なパソコンの接続時の制御を示すフローチャート、図７はリレー回路部の構成を示す図、図８はリレー回路部の遅延回路の有無による駆動用電源出力等の波形の違いを示す図である。
【００２８】
図１において、光ディスク装置１０１は、パソコン等電子機器に内蔵しない所謂外付けタイプのもので、上蓋１０２を開けて光ディスクを装着する。１０３はＵＳＢ接続用コネクタでＵＳＢケーブル１０４にて例えばパソコン１０５に接続することにより、パソコンは光ディスクからデータを読み取ったり、光ディスクにデータを書き込むことができる。１０６はＡＣアダプタで商用電源（１００Ｖ等）のコンセント１０７からの電圧を降圧及
び整流し、ＤＣジャック１０８から光ディスク装置１０１に供給する。後に詳述するが、光ディスク装置１０１の電力取得はＡＣアダプタ１０６に依る場合とＵＳＢケーブル１０４に依る場合があり、ＡＣアダプタ１０６を使用しない場合がある。光ディスクにはＣＤ−ＲＯＭ、ＣＤ−Ｒ／ＲＷ、ＤＶＤ−ＲＯＭ、ＤＶＤ−ＲＡＭ、ＤＶＤ−Ｒ／ＲＷ、ＤＶＤ＋Ｒ／ＲＷが含まれ、光ディスク装置１０１はこれら光ディスクの１種類もしくは数種類に対応可能なものが含まれる。
【００２９】
本実施の形態では、パソコン等他の電子機器との接続手段としてＵＳＢインターフェースを採用しているが、接続手段が電力伝達機能と信号伝達機能を兼ね備えたものであれば良く、ＩＥＥＥ１３９４インターフェースであっても良い。
【００３０】
１０４はＤＣジャックであり、商用電源（１００Ｖ等）の電圧を減圧し整流するＡＣアダプタ１０５を接続して駆動用電源とすることを可能とする。光ディスク装置内に内部で使用するのに適した電流電圧にする電源回路を備えているのであれば、ＡＣアダプタ１０５を使用せず、商用電源を直接適切な電線とコネクタで引き込む構成であっても良い。また、商用電源は使用せず光ディスク装置に内蔵もしくは外付けされた電池を駆動用電源とするものであってもよい。
【００３１】
次に光ディスク装置の回路系の構成について図２を用いて説明する。１２はＣＰＵで論理判断や演算を行う。１３はメインメモリで、制御プログラム、ならびに光ディスク記録装置のための記録制御プログラムを記憶したプログラム記憶エリアを有している。１１はバッファーメモリであり、記憶領域、記録制御、再生制御に必要な記憶領域として使用される。２はフィードモータであり、６のモータ駆動回路で駆動される。３はスピンドルモータで同じように６のモータ駆動回路で駆動される。４はピックアップユニットであり、アクチュエータ駆動回路７で駆動される。モータ駆動回路６、アクチュエータ駆動回路７をサーボ制御するものがＣＤサーボプロセッサ９である。また、モータ駆動回路７に電力を供給するのが駆動系電源回路８である。
【００３２】
再生系では、光ディスク1とピックアップユニット４から得られる光信号はアナログ信号処理部５で信号処理され、ＣＤサーボプロセッサ９のフィードバック信号として使われると共に、デジタル信号処理部１０の入力信号となりデジタル信号へ復調され、その結果をバッファメモリ１１へ格納する。バッファメモリ１１は記録データ、および復調したデータを一時記憶するためにメモリである。これらのデータはインタフェース部１４を経由し、ＡＴＡＰＩバス１６を使った通信でＵＳＢ変換ＩＣ１７とデータの受け渡しを行う。
【００３３】
ＵＳＢ変換ＩＣ１７は、受けたＡＴＡＰＩ信号をＵＳＢ信号１８へ変換しＵＳＢコネクタ１９を通しＵＳＢケーブルによって外部のホストコンピュータ２０と接続されデータの受け渡しを行うものである。システムバス１５は、光ディスク装置内でのデータ転送用バスである。メインメモリに記録されたプログラムによりＣＰＵがデジタル信号処理部１０の制御を行う。デジタル系電源回路２６はＣＰＵ１２、デジタル信号処理部１０、メモリ１３等、デジタル信号処理部１０に対し各種の電圧を安定供給する。
【００３４】
これら装置を動かす回路部分へ供給される電圧は、ＡＣアダプタ２１でＡＣ１００ＶからＤＣ６Ｖへ変換されＤＣジャック２２よりドライブへ供給される。電源起動回路２３はＵＳＢコネクタ１９のＶＢＵＳ（電源バス）２４の電圧を検知し、ドライブの駆動系電源回路８やデジタル系電源回路２６に電圧を供給または停止することでドライブを起動または終了させる。
【００３５】
ＶＢＵＳ２４周辺には、ＵＳＢコネクタ１９を通しパソコン２０等電子機器と接続した際にサージ等過電流が入ることを防ぐＶＢＵＳの突入防止回路２７と、電源をＤＣＩＮ２
３から供給するかＶＢＵＳ２４から供給するか切り替えるリレー回路部２８が設けられている。ＣＰＵ１２にはリレー回路部２８と電源起動回路２５の制御を行うポートが追加されている。
【００３６】
次に、実際の制御について図２及び図３を用いて説明する。
【００３７】
光ディスク装置は、ＵＳＢコネクタ１９を介してＵＳＢケーブルでパソコン２０と接続される（Ｓ１）と、ＶＢＡＳの電圧はパソコン２０によって供給されるため、接続によってＶＢＵＳ電圧が発生し、その変化を検出して電源起動回路２５が働き、駆動系電源回路８とデジタル系電源回路２６にＶＢＵＳからの電力を供給し、電源が入る（Ｓ２）。ＣＰＵは、ＶＢＵＳとＤＣＩＮの電圧をモニターしており、ＡＣアダプタ２１がＤＣジャック２２に接続された場合、ＤＣＩＮ電圧を検出し（Ｓ３）、リレー回路部２８はＡＣアダプタ２１を電源とするように設定される（Ｓ４）ことによって、ＡＣアダプタ２１からの電力が各電源回路に供給される（Ｓ５）。また、ＡＣアダプタ２１がＤＣジャック２２に接続されていない場合は、リレー回路部２８がＶＢＵＳを電源とするように設定される（Ｓ６）ことによって、ＶＢＵＳからの電力が各電源回路に供給され（Ｓ７）ＣＰＵ１２はＶＢＵＳが電源であることを検知する（Ｓ８）。
【００３８】
ＶＢＵＳを電源とする場合は、始めにＣＰＵ１２から駆動系電源回路８への指令で駆動系を動かさないことによって、供給電流を５００ｍＡ以下に抑えながら回路系のみ起動し（Ｓ９）、ＵＳＢ信号１８によってパソコン２０と通信を行って、５００ｍＡを超えて供給できる特定のパソコンであるかを確認する（Ｓ１０）（確認方法については後述）。ＣＰＵは５００ｍＡを超えて供給できる特定のパソコンであるかを判定し（Ｓ１１）、特定のパソコンである場合にのみメカの初期化処理を行い（Ｓ１２）、ＵＳＢ電源で駆動系を起動する（Ｓ１３）。従来のパソコンであること認識した場合は、電源起動回路２５より突入防止回路２７をＯＦＦし（Ｓ１４）、ＶＢＵＳの供給を止めドライブをシャットダウンさせる（Ｓ１５）。以降、パソコン２０を再起動するまでＶＢＵＳ電源では駆動しない。これによって、従来のパソコンにおいて、誤ってＶＢＵＳから５００ｍＡを超えて電流供給し、パソコン２０及び周辺機器をハングアップさせることを防止できる。
【００３９】
次に、光ディスク装置に接続したパソコンが５００ｍＡを超えて供給できるパソコンであるかを光ディスク装置が確認する方法について図４を用いて説明する。
【００４０】
ＶＢＡＳで５００ｍＡを超えて供給できる特定のパソコンについては、光ディスク装置をＵＳＢ接続するとＢＩＯＳとＵＳＢ接続機器との間で取り決めた、特別のＵＳＢコマンドもしくはＵＳＢパケットで包まれたＡＴＡコマンド（ベンダーコマンド）を光ディスク装置に対して発行する様に設定しておく。このような設定は、パソコンのＢＩＯＳを出荷時からあらかじめ設定していても良い。また、パソコンに光ディスク装置を始めて接続した場合に機器のＩｎｑｕｉｒｅ情報をもとに専用のドライバーソフトを組み込まれるが、この光ディスク装置に添付のドライバーソフトウェアにＶＢＡＳで５００ｍＡを超えて供給できる特定のパソコンのリストを作成しておき、パソコンが特定のパソコンのリスト中にこのパソコンが有るかを判定し、特定のパソコンであるならば、光ディスク装置に特別のＵＳＢコマンドもしくはＵＳＢパケットで包まれたＡＴＡコマンド（ベンダーコマンド）を発行するドライバーを組み込む様に設定しておくものであってもよい。
【００４１】
光ディスク装置とパソコンを接続した時、ＶＢＵＳがＯＮになるので光ディスク装置のＶＢＵＳがＯＮになり、同時にパソコンのＢＩＯＳと光ディスク装置のネゴシエーションが開始される（Ｓ１６）。ネゴシエーションが確立すると、特別のＵＳＢコマンドもしくはＵＳＢパケットで包まれたＡＴＡコマンド（ベンダーコマンド）を待つ（Ｓ１７）。特別のコマンドが受信されたか判定し（Ｓ１８）、特別のコマンドを受信した場合、ＶＢＡ
Ｓで５００ｍＡを超えて供給できる特定のパソコンと認識する（Ｓ１９）。特別のコマンドを受信しなかった場合、ＶＢＡＳで５００ｍＡを超えて供給できる特定のパソコンではないと認識する（Ｓ２０）。
【００４２】
一方、パソコン側においてもＶＢＵＳにて光ディスク装置に安定して最大供給電流５００ｍＡを超えて電力供給できるような構成が望ましい。次に図５，図６を用いて、ＶＢＵＳにて外部機器に安定して最大供給電流５００ｍＡを超えて電力供給できるパソコンの構成と動作について説明する。
【００４３】
パソコン内にあるＵＳＢコントローラ２９はＣＰＵ３０からの信号をＵＳＢ信号に変換して出力したり、入力されたＵＳＢ信号を変換してＣＰＵ３０に出力する。ＵＳＢ信号の光ディスク装置との入出力はパソコンに設けられたＵＳＢコネクタ３１を介してＵＳＢケーブル１０４（図１参照）にて行われる。ＵＳＢ電源３２はＶＢＵＳによる電力の供給源となる。ＶＢＵＳはＵＳＢコネクタ３１を介してＵＳＢケーブル１０４（図１参照）にて光ディスク装置に電力を供給する。ＲＯＭ３３にはＢＩＯＳのデータなどが書き込まれており、パソコン起動時ＣＰＵ３０が読み込んでＢＩＯＳが立ち上がる。
【００４４】
パソコン起動時、パソコンはＵＳＢ接続された光ディスク装置のＩｎｑｕｉｒｅ情報を取得し（Ｓ２１）、その光ディスク装置がＶＢＡＳで５００ｍＡを超える電流を必要とする光ディスク装置であるかを識別する（Ｓ２２）。識別する方法としては、パソコンのＢＩＯＳにＶＢＡＳで５００ｍＡを超える電流を必要とする光ディスク装置のＩＤリストを出荷時からあらかじめ設定しておき、接続された光ディスク装置のＩＤとの照合を行うものであっても良い。また、ＶＢＡＳで５００ｍＡを超える電流を必要とする光ディスク装置に添付のパソコン用ドライバーソフトウェアによってパソコンにＩＤが取り込まれ、ＵＳＢ接続された機器のＩＤはＶＢＡＳで５００ｍＡを超える電流を必要とする光ディスク装置のＩＤであると認識するものであってもよい。
【００４５】
またパソコン起動時は、ＢＩＯＳが立ち上がり、ＵＳＢ電源３２よりＶＢＵＳ電源を供給するが、パソコンはＵＳＢ電源３２内の電流検出回路でＶＢＵＳの電流をモニターしており、認識されているＵＳＢ接続された機器が、ＶＢＡＳで５００ｍＡを超えて必要とする光ディスク装置であるか否かでモニターする電流の閾値を変える（Ｓ２２）。ＶＢＡＳで５００ｍＡを超えて必要とする光ディスク装置でない場合はＶＢＵＳの電流の閾値を閾値Ａに（Ｓ２３）、ＶＢＡＳで５００ｍＡを超えて必要とする光ディスク装置である場合はＶＢＵＳの電流の閾値を閾値Ｂに（Ｓ２４）設定する。閾値Ａは実効値電流５００ｍＡが望ましく、さらにＵＳＢ接続時の突入電流に対応するため突入電流１．５Ａ以上であってもよい。また、閾値Ｂは実効値電流５００ｍＡを超える値が望ましい。
【００４６】
次に、モニターしている（Ｓ２５）ＶＢＵＳの電流を閾値に対して比較し（Ｓ２６）、閾値以下の場合はパソコンの起動動作を続ける（Ｓ２７）。閾値以上の場合は、そのＵＳＢインターフェースのポートを遮断し（Ｓ２８）、起動動作を続ける（Ｓ２７）。起動動作では、既に述べた様な、パソコンのＢＩＯＳと光ディスク装置とのネゴシエーション開始と、ＶＢＵＳで起動可能な光ディスク装置の場合、ＵＳＢ信号によるパソコンのＢＩＯＳから５００ｍＡを超える電流を供給できる特定のパソコンであることを示すベンダーコマンドの発行が行われる。
【００４７】
次に、リレー回路部２８について図７を用いて詳細に説明する。
【００４８】
ＶＢＵＳ２４の電圧は、ダイオードＡ３４、リレー３５を通って駆動用電源回路８へ供給される。ＡＣアダプタ２１に接続されるＤＣＩＮ２３は電源回路３６により降圧されダイオードＢ３７、リレー３５を通って駆動用電源回路８に供給される。リレー３５の異な
る端子にはＶＢＵＳ２４、駆動用電源回路８、ＤＣＩＮ２３が配線されており、ＶＢＵＳ２４と駆動用電源回路８が接続されるかＤＣＩＮ２３と駆動用電源回路８が接続されるかを切り換えられる様設定されている。リレー３５の動作は、遅延回路３８を通った電源起動回路２５のコントロール信号を受けて行われる。
【００４９】
次にリレー回路部の作用について説明する。ＡＣアダプタの電圧（例えば６Ｖ）は電源回路３６により５Ｖに降圧されダイオードＢ３７、リレー３５を通って駆動用電源回路８に供給される。リレー３５が無くダイオードＡ３４とダイオードＢ３７のみの場合、ダイオードによる電圧降下によりＶＢＵＳ電圧５Ｖを０．８Ｖ近く降下させてしまい光ディスクの初期駆動を不安定にさせる。一方、ダイオードＡ３４とダイオードＢ３７の無いリレー３５のみで構成した場合、電圧降下は防げるもののリレーの切り替え時において電源が瞬断される為、読み書き中に切り替えられるとドライブがリセットされ異常終了する。
【００５０】
さらに図８に示す様に、リレー３５は遅延回路３８によって所定の値（例えば３Ｖ）以上の電圧が印可されると切り換え動作するが、その電源はＤＣＩＮ２３またはＶＢＵＳ２４から供給されている為、遅延回路３８の無い状態でリレーを動作させると、電源回路３６から供給される電圧が３Ｖ以上の状態で切り替わる為、切り替え時に駆動用電源回路８への電圧が降下していた（ｐｏｉｎｔＡ部）。そこで、遅延回路３８を追加し、ＤＣＩＮ２３が供給され電源回路３６の電圧が５Ｖに十分に上がるまで待ってリレー３５を切り替えることにより駆動用電源回路８への電圧の降下を防止した。遅延回路３８は、ＣＰＵ１２からのコントロール信号にて動作してもよい。ＡＣアダプタ動作時にＶＢＵＳ電源とＤＣＩＮ電源を検出した場合、ＣＰＵ１２からのコントロール信号により強制的にリレー３５の駆動電源を遮断し、強制的にＶＢＵＳ２４での駆動に切り替えることも可能である。
【００５１】
以上のように本発明の光ディスク装置は、ＡＣアダプタが接続されている場合はすべてのコンピュータでＡＣアダプタの電力によって動作し、ＡＣアダプタが接続されていないＵＳＢ電源駆動の場合、ＵＳＢ電源の強化された特定のコンピュータでのみＵＳＢ電源駆動を許可し、従来のコンピュータに接続する場合はＵＳＢ電源で駆動しないようにすることができる光ディスク装置を実現できる。
【００５２】
なお本実施の形態では、パソコンにＵＳＢ接続の光ディスク装置を接続した例について述べているが、ＵＳＢ接続の光ディスク装置に限らず、ＵＳＢ接続可能な電子機器（ＵＳＢ機器）であって良い。この場合ＵＳＢ機器は、ＵＳＢによってパソコンから動作のための電力供給が可能であるものであって、その際ＶＢＵＳでの供給電流が５００ｍＡを超えて必要である場合に効果的である。またパソコンはこのＵＳＢ機器に電力供給を行うことが可能な設定になっており、その際供給電流は５００ｍＡを超えて供給可能である場合に有効である。またＵＳＢ機器とパソコンがそれぞれ、ＶＢＵＳでの供給電流が５００ｍＡを超えて必要なＵＳＢ機器とＶＢＵＳで５００ｍＡを超えて供給可能なパソコンであり、お互いを他のＵＳＢ機器もしくはパソコンに対して識別する場合に有効である。また、ＵＳＢ機器を接続する対象については、パソコンに限らずＵＳＢ接続可能でかつ接続機器に電力供給が可能な電子機器であっても良い。この場合、ＢＩＯＳに依るもしくはＢＩＯＳに依らない手段にてＵＳＢ電源の強化された特定の電子機器であることを示す特定のコマンドをＵＳＢ信号にて発行する。
【産業上の利用可能性】
【００５３】
電子機器にＵＳＢ接続可能なＵＳＢ機器で、電子機器からＵＳＢのＶＢＵＳにて電力供給を行うＵＳＢ機器に適用できる。
【図面の簡単な説明】
【００５４】
【図１】本発明の一実施の形態における光ディスク装置の外観図
【図２】本発明の一実施の形態における光ディスク装置の構成を示すブロック図
【図３】ＵＳＢ電源とＡＣアダプタ電源での動作の制御を示すフローチャート
【図４】パソコンが５００ｍＡ以上を供給できるパソコンであるかを光ディスク装置が確認する制御を示すフローチャート
【図５】本発明の光ディスク装置を接続し、ＵＳＢにて光ディスク装置への電力供給が可能なパソコンのＵＳＢ出力部分のブロック図
【図６】本発明の光ディスク装置を接続し、ＵＳＢにて光ディスク装置への電力供給が可能なパソコンの接続時の制御を示すフローチャート
【図７】リレー回路部の構成を示す図
【図８】リレー回路部の遅延回路の有無による駆動用電源出力等の波形の違いを示す図
【図９】従来の光ディスク装置のブロック図
【符号の説明】
【００５５】
１    光ディスク
２    フィードモータ
３    スピンドルモータ
４    ピックアップユニット
６    モータ駆動回路
７    アクチュエータ駆動回路
８    駆動系電源回路
９    ＣＤサーボプロセッサ
１０    デジタル信号処理部
１１    バッファメモリ
１２    ＣＰＵ
１３    メインメモリ
１４    インターフェイス部
１５    システムバス
１６    ＡＴＡＰＩバス
１７    ＵＳＢ変換ＩＣ
１８    ＵＳＢ信号
１９    ＵＳＢコネクタ
２０    パソコン
２１    ＡＣアダプタ
２２    ＤＣジャック
２３    ＤＣＩＮ
２４    ＶＢＵＳ
２５    電源起動回路
２６    デジタル系電源回路
２７    突入防止回路
２８    リレー回路部
２９    ＵＳＢコントローラ
３０    ＣＰＵ
３１    ＵＳＢコネクタ
３２    ＵＳＢ電源
３３    ＲＯＭ
３４    ダイオードＡ
３５    リレー
３６    電源回路
３７    ダイオードＢ
３８    遅延回路
１０１    光ディスク装置
１０２    上蓋
１０３    ＵＳＢ接続用コネクタ
１０４    ＵＳＢケーブル
１０５    パソコン
１０６    ＡＣアダプタ
１０７    コンセント
１０８    ＤＣジャック
【図１】
2005050194.tif 000003
【図２】
2005050194.tif 000004
【図３】
2005050194.tif 000005
【図４】
2005050194.tif 000006
【図５】
2005050194.tif 000007
【図６】
2005050194.tif 000008
【図７】
2005050194.tif 000009
【図８】
2005050194.tif 000010
【図９】
2005050194.tif 000011